(57)【要約】  デバイスの電池の寿命を延ばし、従来よりもデバイスの電池交換の手間を低減するため、デバイスが取得した取得情報と、当該デバイスの電池残量を示す残量情報とを含むデバイス情報をデバイスから受信する受信手段と、受信手段がデバイス情報を受信した場合に、デバイス情報に含まれる残量情報に基づいて、一時記憶手段における取得情報の一時記憶期間を設定する期間設定手段と、を備えた。あるいは、取得情報を送信信号に変換して送信するデバイスから当該送信信号を受信する受信手段と、送信信号に基づいて、デバイスを駆動する電池の残量を算出する電池残量算出手段と、電池の残量を表わす残量情報に基づいて、一時記憶手段における取得情報の一時記憶期間を設定する期間設定手段と、を備えた。
2017006836.tif 000002
【特許請求の範囲】
【請求項１】
デバイスが取得した取得情報と、当該デバイスの電池残量を示す残量情報とを含むデバイス情報を前記デバイスから受信する受信手段と、
前記受信手段が前記デバイス情報を受信した場合に、当該デバイス情報に含まれる残量情報に基づいて、一時記憶手段における前記取得情報の一時記憶期間を設定する期間設定手段と、
を備えた情報処理装置。
【請求項２】
取得情報を送信信号に変換して送信するデバイスから当該送信信号を受信する受信手段と、
前記受信手段が受信した前記送信信号に基づいて、前記デバイスを駆動する電池の残量を算出する電池残量算出手段と、
前記電池の残量を表わす残量情報に基づいて、一時記憶手段における前記取得情報の一時記憶期間を設定する期間設定手段と、
を備えた情報処理装置。
【請求項３】
前記期間設定手段は、前記残量情報と前記一時記憶期間との関係を表わす情報を保持し、該情報に基づいて、前記一時記憶期間を設定する、請求項１または２に記載の情報処理装置。
【請求項４】
前記デバイスは前記情報処理装置に直接接続されており、
前記情報処理装置の電池残量認識手段は、前記受信手段が受信した前記送信信号の強度に基づいて、前記電池の残量を認識する、
請求項２に記載の情報処理装置。
【請求項５】
前記期間設定手段は、前記デバイスの運用年限と運用開始日と情報取得日時の履歴とをデバイス情報として保持し、前記運用開始日からの経過日数と前記電池の残量とに基づいて、許容される情報取得回数を計算するとともに前記運用年限までの残日数を計算し、前記情報取得回数と前記残日数と用いて前記一時記憶期間を算出して設定する、請求項１乃至４のいずれか１項に記載の情報処理装置。
【請求項６】
所定の情報を取得情報として取得する情報取得手段と、
前記取得情報を含む送信情報を送信信号に変換して送信する送信手段と、
前記情報取得手段および前記送信手段を駆動するための電池の残量を検出する検出手段と、
を備え、
前記送信手段が、
前記取得情報を含む前記送信情報を前記送信信号として前記デバイスから受信する受信手段と、
前記取得情報を一時的に記憶する一時記憶手段と、
前記受信手段が受信した前記送信情報あるいは前記送信信号の少なくともいずれか一方に基づいて、前記電池の残量を認識する電池残量認識手段と、
前記電池の残量に基づいて、前記一時記憶手段における前記取得情報の一時記憶期間を設定する期間設定手段と、
を備えた情報処理装置に対して前記送信信号を送信するデバイス。
【請求項７】
デバイスが取得した取得情報と、当該デバイスの電池残量を示す残量情報とを含むデバイス情報を前記デバイスから受信する受信ステップと、
前記デバイス情報を受信した場合に、当該デバイス情報に含まれる残量情報に基づいて、一時記憶手段における前記取得情報の一時記憶期間を設定する期間設定ステップと、
を含む情報処理方法。
【請求項８】
取得情報を送信信号に変換して送信するデバイスから当該送信信号を受信するステップと、
前記送信信号に基づいて、前記デバイスを駆動する電池の残量を算出するステップと、
前記電池の残量を表わす残量情報に基づいて、一時記憶手段における前記取得情報の一時記憶期間を設定するステップと、
を含む情報処理方法。
【請求項９】
デバイスが取得した取得情報と、当該デバイスの電池残量を示す残量情報とを含むデバイス情報を前記デバイスから受信する受信ステップと、
前記デバイス情報を受信した場合に、当該デバイス情報に含まれる残量情報に基づいて、一時記憶手段における前記取得情報の一時記憶期間を設定する期間設定ステップと、
をコンピュータに実行させる情報処理プログラム。
【請求項１０】
取得情報を送信信号に変換して送信するデバイスから当該送信信号を受信するステップと、
前記送信信号に基づいて、前記デバイスを駆動する電池の残量を算出するステップと、
前記電池の残量を表わす残量情報に基づいて、一時記憶手段における前記取得情報の一時記憶期間を設定するステップと、
をコンピュータに実行させる情報処理プログラム。
【発明の詳細な説明】
【技術分野】
【０００１】
本発明は、情報処理装置、デバイス、情報処理システム、情報処理方法、および情報処理プログラムに関する。
【背景技術】
【０００２】
上記技術分野において、特許文献１には、アプリケーションによって要求されるセンサデータを、デバイスを用いて取得する技術が開示されている。さらに、複数のデバイスによって取得されたセンサデータを複数のＭ２Ｍゲートウェイに一時的に集約し、最終的に各Ｍ２Ｍゲートウェイから全てのセンサデータをＭ２Ｍサーバに集約する技術が開示されている。
【先行技術文献】
【特許文献】
【０００３】
【特許文献１】特開２０１４−０６８２８５号公報
【発明の概要】
【発明が解決しようとする課題】
【０００４】
しかしながら、上記文献に記載の技術では、デバイスはセンサデータのみをＭ２Ｍゲートウェイに送信していた。このため、デバイスの電池切れが生じた場合、センサデータをＭ２Ｍゲートウェイが取得できないことがあった。また、常に一定の期間ごとにデバイスからＭ２Ｍゲートウェイにセンサデータを送信していたため、常に一定の割合で電池が消耗するので、デバイスの電池の寿命を延ばすことができなかった。さらに、デバイスの電池交換に要する手間もかかっていた。【０００５】
本発明の目的は、上述の課題を解決する技術を提供することにある。
【課題を解決するための手段】
【０００６】
上記目的を達成するため、本発明に係る装置は、
デバイスが取得した取得情報と、当該デバイスの電池残量を示す残量情報とを含むデバイス情報を前記デバイスから受信する受信手段と、
前記受信手段が前記デバイス情報を受信した場合に、当該デバイス情報に含まれる残量情報に基づいて、一時記憶手段における前記取得情報の一時記憶期間を設定する期間設定手段と、
を備えた情報処理装置である。【０００７】
上記目的を達成するため、本発明に係る他の装置は、
取得情報を送信信号に変換して送信するデバイスから当該送信信号を受信する受信手段と、
前記受信手段が受信した前記送信信号に基づいて、前記デバイスを駆動する電池の残量を算出する電池残量算出手段と、
前記電池の残量を表わす残量情報に基づいて、一時記憶手段における前記取得情報の一時記憶期間を設定する期間設定手段と、
を備えた情報処理装置である。【０００８】
上記目的を達成するため、本発明に係るデバイスは、
所定の情報を取得情報として取得する情報取得手段と、
前記取得情報を含む送信情報を送信信号に変換して送信する送信手段と、
前記情報取得手段および前記送信手段を駆動するための電池の残量を検出する検出手段と、
を備え、
前記送信手段が、
前記取得情報を含む前記送信情報を前記送信信号として前記デバイスから受信する受信手段と、
前記取得情報を一時的に記憶する一時記憶手段と、
前記受信手段が受信した前記送信情報あるいは前記送信信号の少なくともいずれか一方に基づいて、前記電池の残量を認識する電池残量認識手段と、
前記電池の残量に基づいて、前記一時記憶手段における前記取得情報の一時記憶期間を設定する期間設定手段と、
を備えた情報処理装置に対して前記送信信号を送信するデバイスである。【０００９】
上記目的を達成するため、本発明に係る方法は、
デバイスが取得した取得情報を含む送信情報を前記デバイスから受信するステップと、
前記取得情報を一時記憶装置に一時的に記憶するステップと、
前記デバイスを駆動する電池の残量を認識するステップと、
前記電池の残量に基づいて、前記一時記憶装置における前記取得情報の一時記憶期間を設定するステップと、
を含む情報処理方法である。【００１０】
上記目的を達成するため、本発明に係る他の方法は、
取得情報を送信信号に変換して送信するデバイスから当該送信信号を受信するステップと、
前記送信信号に基づいて、前記デバイスを駆動する電池の残量を算出するステップと、
前記電池の残量を表わす残量情報に基づいて、一時記憶手段における前記取得情報の一時記憶期間を設定するステップと、
を含む情報処理方法である。【００１１】
上記目的を達成するため、本発明に係るプログラムは、
デバイスが取得した取得情報を含む送信情報を前記デバイスから受信するステップと、
前記取得情報を一時記憶装置に一時的に記憶するステップと、
前記デバイスを駆動する電池の残量を認識するステップと、
前記電池の残量に基づいて、前記一時記憶装置における前記取得情報の一時記憶期間を設定するステップと、
をコンピュータに実行させる情報処理プログラムである。【００１２】
上記目的を達成するため、本発明に係る他のプログラムは、
取得情報を送信信号に変換して送信するデバイスから当該送信信号を受信するステップと、
前記送信信号に基づいて、前記デバイスを駆動する電池の残量を算出するステップと、
前記電池の残量を表わす残量情報に基づいて、一時記憶手段における前記取得情報の一時記憶期間を設定するステップと、
をコンピュータに実行させる情報処理プログラムである。
【発明の効果】
【００１３】
本発明によれば、デバイスの電池の寿命を延ばすことができるので、従来よりもデバイスの電池交換の手間を低減することができる。
【図面の簡単な説明】
【００１４】
【図１Ａ】本発明の第１実施形態に係る情報処理装置の構成を示すブロック図である。
【図１Ｂ】本発明の第１実施形態に係る他の情報処理装置の構成を示すブロック図である。
【図２】本発明の第２実施形態に係る情報処理システムの機能構成を説明するためのブロック図である。
【図３】本発明の第２実施形態に係る情報処理装置のハードウェア構成を説明するためのブロック図である。
【図４】本発明の第２実施形態に係るキャッシュデータの構成を説明するための図である。
【図５】本発明の第２実施形態に係る電池残量と取得情報の一時記憶期間との関係を表わすテーブルを示す図である。
【図６】本発明の第２実施形態に係る電池残量と取得情報の一時記憶期間との関係を表わすテーブルを示す図である。
【図７】本発明の第２実施形態に係るデバイスの機能構成を説明するためのブロック図である。
【図８】本発明の第２実施形態に係るデバイスのハードウェア構成を説明するためのブロック図である。
【図９】本発明の第２実施形態に係る情報処理装置の処理手順を説明するためのフローチャートである。
【図１０】本発明の第２実施形態に係るアプリケーションサーバによる情報取得要求とデバイスによる情報取得と取得情報の一時記憶期間との関係を説明するための図である。
【図１１】本発明の第３実施形態に係る情報処理システムの機能構成を説明するためのブロック図である。
【図１２】本発明の第３実施形態に係る受信信号強度と電池残量との対応関係を表わす情報を説明する図である。
【図１３Ａ】本発明の第３実施形態に係るデバイスの機能構成を説明するためのブロック図である。
【図１３Ｂ】本発明の第３実施形態に係る他のシステム構成を説明するためのブロック図である。
【図１４】本発明の第４実施形態に係る情報処理システムの機能構成を説明するためのブロック図である。
【図１５】本発明の第４実施形態に係る記憶部が保持する情報について説明するための図である。
【図１６】本発明の第５実施形態に係る情報処理システムの機能構成を説明するためのブロック図である。
【図１７】本発明の第５実施形態に係るデバイスの機能構成を説明するためのブロック図である。
【図１８】本発明の第６実施形態に係る情報処理システムの機能構成を説明するためのブロック図である。
【図１９】本発明の第７実施形態に係る電池残量情報と取得情報の一時記憶期間との関係を表わすテーブルを示す図である。
【図２０】本発明の第７実施形態に係る電池残量情報と取得情報の一時記憶期間との関係を表わすテーブルを示す図である。
【図２１】本発明の第７実施形態に係る電池残量情報と取得情報の一時記憶期間との関係を表わすテーブルを示す図である。
【図２２】本発明の第７実施形態に係る電池残量情報と取得情報の一時記憶期間との関係を表わすテーブルを示す図である。
【発明を実施するための形態】
【００１５】
以下に、本発明の例示的な実施形態について、図面を参照して詳しい説明を記載する。ただし、以下の実施の形態に記載されている、構成、数値、処理の流れ、機能要素などはあくまで一例であり、本発明の技術範囲をそれらの記載のみに限定する趣旨のものではない。
【００１６】
［第１実施形態］
本発明の第１実施形態に係る２種類の情報処理装置について、図１Ａ、図１Ｂを用いて説明する。
【００１７】
図１Ａに示す情報処理装置１０２は、デバイス１０１が取得した取得情報１１３と、デバイス１０１の電池１１１の残量を示す残量情報１１２とを含むデバイス情報１１４をデバイス１０１から受信する受信部１２１を備えている。また、情報処理装置１０２は、受信部１２１がデバイス情報１１４を受信した場合に、デバイス情報１１４に含まれる残量情報１１２に基づいて、一時記憶部における取得情報１１３の一時記憶期間を設定する期間設定部１２２を備えている。
【００１８】
一方、図１Ｂに示すデバイス１５１は、デバイス１５１が取得した取得情報１６３を送信信号１６２に変換して送信する。情報処理装置１５２は、そのようなデバイス１５１から送信信号１６２を受信する受信部１７１を備えている。また、情報処理装置１５２は、受信部１７１が受信した送信信号１６２に基づいて、デバイス１５１を駆動する電池１６１の残量を算出する電池残量算出部１７２を備えている。さらに、情報処理装置１５２は、電池１６１の残量を表わす残量情報に基づいて、一時記憶部における取得情報１６３の一時記憶期間を設定する期間設定部１７３を備えている。
【００１９】
以上説明したような情報処理装置１０２、１５２によれば、デバイスから受信した取得情報を一時記憶する際の一時記憶期間として、デバイスの電池の残量を考慮した値を設定することができる。これにより、デバイスの電池寿命を延ばすことができ、従来よりもデバイスの電池交換の手間を低減することができる。
【００２０】
［第２実施形態］
次に本発明の第２実施形態に係る情報処理システムについて、図２乃至図１０を用いて説明する。
【００２１】
《前提技術》
一方、Ｍ２Ｍで用いられるデバイスは電源に電池を用いている場合も多く、また設置場所や機器の構造上、電池交換が困難である場合が少なくない。この場合、デバイスの消費電力を低減することで、メンテナンスコストの低減、あるいはデバイスの稼働年限の延長を図ることができる。
【００２２】
Ｍ２Ｍ通信において、温度あるいは湿度などを計測する各種のデバイスから測定データを情報として取得する場合、一時記憶装置に情報を一時記憶することが多い。この一時記憶装置は、アプリケーションサーバとデバイスとの間に設置される共通サービスプラットフォームまたはゲートウェイ装置に備えられる。
【００２３】
この構成では、デバイスが取得した情報をアプリケーションサーバが要求した場合、ゲートウェイ装置あるいは共通サービスプラットフォームは、自身の一時記憶装置に一時記憶された情報があるか否かで処理を変える。すなわち、一時記憶装置に一時記憶された情報があれば、ゲートウェイ装置あるいは共通サービスプラットフォームは、逐一デバイスから測定データを取得することはせずに、一時記憶された情報をアプリケーションサーバに返す。これにより、デバイスの電力消費量と通信量とを削減することができる。
【００２４】
一般に、一時記憶装置に一時記憶された情報には一時記憶期間が設定される。アプリケーションサーバから情報取得要求を受けた場合、ゲートウェイ装置あるいは共通サービスプラットフォームは、一時記憶された情報の一時記憶期間を確認し、一時記憶期間内であれば一時記憶されている情報をアプリケーションサーバに送信する。一時記憶期間を過ぎていれば、デバイスから情報を取得し、一時記憶装置内の情報を更新するとともに、この情報をアプリケーションサーバに送信する。一時記憶装置の一時記憶期間は、情報量やアプリケーション特性に応じて最適値が異なるが、一般には固定値である。
【００２５】
一時記憶装置の一時記憶期間を短く設定する程、デバイスからゲートウェイ装置あるいは共通サービスプラットフォームへの情報送信が頻繁になり、したがってデバイスの電池寿命、すなわちデバイスの稼働期間が短くなる。一方で一時記憶装置の一時記憶期間を長く設定し過ぎると、アプリケーションサーバからの情報取得要求に対して、最大で一時記憶期間の長さ分だけ、過去に取得したデータを返すこととなり、サービス運用に支障をきたしかねない。
【００２６】
したがって、ゲートウェイ装置および共通サービスプラットフォームの設置者または運営者は、デバイスの電池容量と必要な稼働年限、および想定される情報取得要求の頻度を考慮して、一時記憶装置の一時記憶期間を決定する必要がある。しかしながら、電池寿命は、温度やその他の環境要因による影響を受けやすいため、当初の計画よりも早く電圧低下など劣化の症状がみられる場合がある。また、デバイスの設置者とアプリケーションサーバの運営者が異なる場合、特に複数のアプリケーションサーバが同一デバイスの情報を取得する場合、アプリケーションサーバから送られる情報取得要求の頻度をあらかじめ見積もることは困難である。
【００２７】
《第２実施形態の説明》
図２は、本実施形態に係る情報処理システムの機能構成を説明するためのブロック図である。図２において、情報処理システム２００は、情報処理装置２０１と、３つのアプリケーションサーバ２２１〜２２３と、ネットワーク２３０と、３つのデバイス２４１〜２４３とを備えている。
【００２８】
情報処理装置２０１は、共通サービスプラットフォームを形成しており、アプリケーションサーバ２２１〜２２３と接続されているとともに、ネットワーク２３０を介してデバイス２４１〜２４３と接続されている。
【００２９】
情報処理装置２０１は、情報要求制御部２１１、一時記憶部２１２、情報要求部２１３、受信部２１４、電池残量認識部２１５、一時記憶期間設定部２１６、および記憶部２１７を備えている。
【００３０】
情報要求制御部２１１は、アプリケーションサーバ２２１〜２２３との情報送受信を可能とするネットワークインタフェースまたはＡＰＩ（Application Programming Interface）を備えている。また、情報要求制御部２１１は、例えば情報処理装置２０１に内蔵された電子回路、または演算装置上で動作するプログラムによって構成されている。情報要求制御部２１１は、アプリケーションサーバ２２１〜２２３から情報取得要求を受け取ると、一時記憶部２１２を参照し、一時記憶部２１２に一時記憶期間内の情報が存在すれば、その情報をアプリケーションサーバ２２１〜２２３へ返す。一時記憶部２１２に一時記憶期間内の情報がなければ、情報要求制御部２１１は、アプリケーションサーバ２２１〜２２３から要求された情報の取得を情報要求部２１３に要求する。さらに、アプリケーションサーバ２２１〜２２３から要求された情報を受信部２１４から受け渡された際には、この情報をアプリケーションサーバ２２１〜２２３へ送信する。
【００３１】
一時記憶部２１２は、デバイス２４１〜２４３から取得した情報を、その一時記憶期間の情報とともに記憶することのできる記憶装置である。例えば、一時記憶部２１２は、情報処理装置２０１に内蔵されたメモリ、ハードディスクドライブ（ＨＤＤ：Hard Disk Drive）、あるいはソリッドステートドライブ（ＳＳＤ：Solid State Drive）などである。なお、デバイス２４１〜２４３が取得した情報（以下、取得情報と称する）に対してその一時記憶期間の情報を付けられて一時記憶部２１２に格納された情報を一時記憶データと称する。
【００３２】
情報要求部２１３は、デバイス２４１〜２４３との情報送受信を可能にするネットワークインタフェースを備え、例えば情報処理装置２０１に内蔵された電子回路、または演算装置上で動作するプログラムである。また、情報要求部２１３は、情報要求制御部２１１からの命令にしたがって、デバイス２４１〜２４３へ情報取得要求を送信する。
【００３３】
受信部２１４は、デバイス２４１〜２４３との間の情報の送受信を可能にするネットワークインタフェースを備え、例えば情報処理装置２０１に内蔵された電子回路、または演算装置上で動作するプログラムである。また、受信部２１４は、デバイス２４１〜２４３が送信した送信情報を受信する。デバイス２４１〜２４３が送信するデバイス情報は、デバイス２４１〜２４３が取得した取得情報と電池残量情報とを含む。受信部２１４は、デバイス２４１〜２４３から、中継装置を介してデバイス情報を受信してもよい。
【００３４】
電池残量認識部２１５は、デバイス２４１〜２４３から受信した情報に含まれる電池残量の情報に基づいて、デバイス２４１〜２４３の電池残量を認識し、この電池残量の情報を一時記憶期間設定部２１６へ通知する。ここで、電池残量は、電池の電気量の残量を指すが、電気量は直接測定できないため、例えば電圧を見て残りの電気量を推測する。ここでの、推測アルゴリズムは、電池の特性によって異なり、さらに例えばリチウム電池でもメーカごとに特性が異なる。
【００３５】
一時記憶期間設定部２１６は、デバイス２４１〜２４３から受信した電池残量の情報と、記憶部２１７に記憶されている電池残量と取得情報の一時記憶期間との関係を表わす情報とに基づいて、取得情報の一時記憶期間を設定する。
【００３６】
受信部２１４は、デバイス２４１〜２４３から受信した取得情報を、一時記憶期間設定部２１６が設定した一時記憶期間の情報とともに一時記憶部２１２へ格納する。また同時に情報要求制御部２１１へ取得情報を受け渡す。
【００３７】
記憶部２１７は、電池残量と取得情報の一時記憶期間との関係を表わす情報を記憶することのできる記憶装置で、例えば情報処理装置２０１に内蔵されたメモリ、ハードディスクドライブ、あるいはソリッドステートドライブなどである。
【００３８】
デバイス２４１〜２４３は、例えば温湿度センサ、スチルカメラ、動画カメラ、あるいは振動センサなどのデバイスであり、温湿度情報、画像情報、動画情報、あるいは振動情報などの情報を取得し、この情報を取得情報として送信する。また、デバイス２４１〜２４３は、情報処理装置２０１との間の情報の送受信を可能にするネットワークインタフェースを備えている。
【００３９】
《情報処理装置のハードウェア構成の説明》
図３は本実施形態に係る情報処理装置２０１のハードウェア構成を説明するためのブロック図である。図３に示すように情報処理装置２０１は、ＣＰＵ（Central Processing Unit）３０１、ＲＯＭ（Read Only Memory）３０２、ネットワークインタフェース３０３、ＲＡＭ（Random Access Memory）３１２、およびストレージ（例えばＨＤＤ(Hard Disk Drive)やＳＳＤ(Solid State Drive)）２１７を備えている。
【００４０】
ＣＰＵ３０１は中央処理部であって、様々なプログラムを実行することにより情報処理装置２０１全体を制御する。
【００４１】
ＲＯＭ３０２は、ＣＰＵ３０１が最初に実行すべきブートプログラムの他、各種パラメータなどを記憶している。
【００４２】
ネットワークインタフェース３０３は、デバイス２４１〜２４３とのネットワーク２３０を介した通信と、アプリケーションサーバ２２１〜２２３との通信とを制御する。
【００４３】
また、ＲＡＭ３１２は、情報処理プログラムの実行領域３４１を有している。
【００４４】
ストレージ３１７は、電池残量と一時記憶期間との関係情報３５１、情報要求制御モジュール３５２、情報要求モジュール３５３、および受信モジュール３５４を有している。さらに、記憶部２１７は、電池残量認識モジュール３５５、一時記憶期間設定モジュール３５６、一時記憶モジュール３５７を有している。さらに、ストレージ３１７は、デバイス２４１〜２４３から受信した取得情報とその一時記憶期間の情報とを対応付けた情報を、デバイス２４１〜２４３ごとに、一時記憶データ３５８として一時記憶する。
【００４５】
ＣＰＵ３０１が情報要求制御モジュール３５２を実行することにより情報要求制御部２１１として機能する。ＣＰＵ３０１が受信モジュール３５４を実行することにより受信部２１４として機能する。ＣＰＵ３０１が電池残量認識モジュール３５５を実行することにより電池残量認識部２１５として機能する。ＣＰＵ３０１が一時記憶期間設定モジュール３５６を実行することにより一時記憶期間設定部２１６として機能する。
【００４６】
図４は、一時記憶データ３５８の内容を説明するための図である。図４に示すように、一時記憶データ３５８は、デバイス２４１〜２４３から受信した取得情報４０１とその一時記憶期間の情報４０２とを対応付けた情報である。
【００４７】
図５は、記憶部２１７に格納されている電池残量と取得情報の一時記憶期間との関係を表わす情報、すなわち電池残量と一時記憶期間との関係情報３５１を説明するための図である。図５に示すように、電池残量と一時記憶期間との関係情報３５１は、電池残量（％）５０１と一時記憶期間（分）５０２とが対応付けられたテーブルである。本実施形態では電池残量５０１が０％よりも大きくて２０％以下のときの一時記憶期間５０２は６０分に設定されている。また、電池残量５０１が２０％よりも大きくて５０％以下のときの一時記憶期間５０２は１０分に設定されている。さらに、電池残量５０１が５０％よりも大きくて１００％以下のときの一時記憶期間５０２は３分に設定されている。
【００４８】
なお、電池残量と一時記憶期間との関係情報３５１については、必ずしも表形式の情報である必要はなく、図６のようなグラフで表される連続した対応関係の情報であってもよい。また、図５に示す電池残量５０１は３段階に区分されている例を説明したが、これに限られず、４段階以上あるいは２段階以下であってもよく、また閾値も任意に決定できる。また、電池残量をパラメータとした数式で一時記憶期間を求めてよい。
【００４９】
《デバイスの機能構成の説明》
図７はデバイス２４１〜２４３の機能構成を説明するためのブロック図である。図７に示すように、デバイス２４１〜２４３は、電池７０１と情報取得部７０２と電池残量検出部７０３と送受信部７０４とを含む。
【００５０】
電池７０１は、デバイス２４１〜２４３を駆動する電力を供給する。
【００５１】
情報取得部７０２は、送受信部７０４から情報取得の指示を受けた場合に所定の情報を取得して送受信部７０４に出力する。例えば、情報取得部７０２は、温湿度センサ、スチルカメラ、動画カメラ、あるいは振動センサなどであり、温湿度情報、画像情報、動画情報、あるいは振動情報などの情報を取得する。
【００５２】
電池残量検出部７０３は、送受信部７０４から電池残量検出の指示を受けた場合に、電池７０１の残量を検出し、電池残量の情報を送受信部７０４に出力する。本実施形態では、電池残量検出部７０３は電池の残量が満充電のときの何パーセントであるかの情報を電池残量の情報としている。
【００５３】
なお、電池残量の情報として、電池残量％の他に、電圧値そのもの、残り駆動時間、送信可能回数、残存放電容量（mAh）を用いてもよい。
【００５４】
なお、デバイス２４１〜２４３が、検出した電圧値、残り駆動時間または残存放電容量（mAh）を情報処理装置２０１に送信情報として送る場合、情報処理装置２０１は、図５の電池残量％を電圧値、残り駆動時間または残存放電容量（mAh）に書き換えた表を保持すればよい。動作は電池残量％の場合と同じである。
【００５５】
さらに、デバイス２４１〜２４３が、電圧値に基づいて、所定時間（例：3時間）以内に送信可能な回数を算出して情報処理装置２０１に送信してもよい。情報処理装置２０１は、図５の電池残量％を送信回数に書き換えた表を保持すればよい。動作は電池残量％の場合と同じである。
【００５６】
送信情報が電圧値の場合であって、異なる電池を使うデバイスがある場合には、電池の特性に応じた変換アルゴリズム（電圧値に基づき電池残量％等を算出する）を情報処理装置２０１が備えている必要がある。
【００５７】
送受信部７０４は、情報処理装置２０１から情報取得要求を受信した場合、情報取得部７０２に情報取得指示を通知するとともに電池残量検出部７０３に電池残量検出の指示を通知する。さらに、送受信部７０４は情報取得部７０２と電池残量検出部７０３とに通知を行なった後、情報取得部７０２から受け取った取得情報と電池残量検出部７０３から受け取った電池残量情報とを情報処理装置２０１に送信する。
【００５８】
《デバイスのハードウェア構成の説明》
図８はデバイス２４１〜２４３のハードウェア構成を説明するためのブロック図である。図８に示すように、デバイス２４１〜２４３は、ＣＰＵ８０１、ＲＯＭ８０２、ネットワークインタフェース８０３、電池７０１、情報取得部７０２、電池残量検出インタフェース８０６、一時記憶部８０７、および記憶部８０８を備えている。
【００５９】
ＣＰＵ８０１は中央処理部であって、所定のプログラムを実行することによりデバイス２４１〜２４３全体を制御する。ＲＯＭ８０２は、ＣＰＵ８０１が最初に実行すべきブートプログラムの他、各種パラメータなどを記憶している。また、ネットワークインタフェース８０３は、情報処理装置２０１との通信を制御する。
【００６０】
ＲＡＭ８０７は、プログラムロード領域８７１と取得情報記憶領域８７２と電池残量記憶領域８７３とを有する。
【００６１】
記憶部８０８は、電池残量検出モジュール８８１と送受信制御モジュール８８２とを有する。ＣＰＵ８０１が電池残量検出モジュール８８１を実行することにより電池残量検出部７０３として機能し、電池残量検出インタフェース８０６を介して電池７０１の残量を検出する。ＣＰＵ８０１が送受信制御モジュール８８２を実行することによりネットワークインタフェース８０３とともに送受信部７０４として機能する。
【００６２】
《動作説明》
次に、本実施形態における情報処理装置２０１の動作を、図９を参照して説明する。図９は情報処理装置２０１の処理手順を説明するためのフローチャートである。
【００６３】
ステップＳ９０１において、情報処理装置２０１が、アプリケーションサーバ２２１〜２２３から情報要求を受け取ると、ステップＳ９０３において、情報要求制御部２１１が一時記憶部２１２に記憶されている一時記憶データとその一時記憶期間を確認する。
【００６４】
ステップＳ９０３の確認の結果、一時記憶期間の期限が切れていない場合、ステップＳ９０５において、情報要求制御部２１１は一時記憶データに含まれる取得情報をアプリケーションサーバ２２１〜２２３に送信し、ステップＳ９０１の処理に移行する。
【００６５】
ステップＳ９０３の確認の結果、一時記憶期間が切れている場合、ステップＳ９０７において、情報要求制御部２１１は情報要求部２１３を通して、デバイス２４１〜２４３に情報を要求する。そして、ステップＳ９０９において、情報要求部２１３は、アプリケーションサーバから要求された情報とともに電池残量の情報をデバイス２４１〜２４３から取得する。
【００６６】
次に、デバイス２４１〜２４３から情報を受け取った受信部２１４は、電池残量認識部２１５によってデバイス２４１〜２４３の電池残量を認識し、一時記憶期間設定部２１６へ通知する。そして、ステップＳ９１３において、一時記憶期間設定部２１６は、記憶部２１７にあらかじめ格納されている電池残量と取得情報の一時記憶期間との関係を表わす情報に基づいて、電池残量に応じた取得情報の一時記憶期間を設定する。
【００６７】
次に、ステップＳ９１５において、受信部２１４は、デバイス２４１〜２４３から受け取った取得情報を情報要求制御部２１１と一時記憶部２１２に通知する。このとき、一時記憶部２１２には、一時記憶期間設定部２１６が決定した一時記憶期間を同時に通知する。さらにステップＳ９１７において、一時記憶部２１２は、受信部２１４から受け取った取得情報をその一時記憶期間の情報とともに、一時記憶データとして記憶する。また、ステップＳ９１９において、情報要求制御部２１１は、受信部２１４から受け取った取得情報をアプリケーションサーバ２２１〜２２３に送信し、ステップＳ９０１の処理に移行する。
【００６８】
図１０はアプリケーションサーバ２２１〜２２３による情報取得要求と、デバイス２４１〜２４３による情報取得と、取得情報の一時記憶期間との関係を説明するための図である。図１０に示すように、アプリケーションサーバ２２１〜２２３からの情報取得要求に基づいて情報処理装置２０１がデバイス２４１〜２４３から情報を取得した時刻が一時記憶期間の開始時刻となる。図１０に示すように、電池残量に応じて設定する一時記憶期間を変化させる。この例は図５のテーブルに従って制御した場合についてタイムチャートで示している。具体的には、電池残量が９０％の段階では、一時記憶期間を３分に
設定し、３０％まで減れば、一時記憶期間を１０分に設定し、１０％を切れば、一時記憶期間を６０分に設定する。
【００６９】
情報処理装置２０１は、デバイス２４１〜２４３の電池７０１の残量に関する情報を取得することができ、デバイス２４１〜２４３から受信した取得情報を一時記憶する際の一時記憶期間について、デバイス２４１〜２４３の電池残量を考慮した最適値をあらかじめ設定することができる。したがって、デバイス２４１〜２４３の電力消費量と通信量とを削減することができ、デバイス２４１〜２４３の稼働年限の延長を図ることができる。これにより、デバイス２４１〜２４３の電池の寿命を延ばすことができるので、従来よりもデバイス２４１〜２４３の電池交換の手間を低減することができる。
【００７０】
なお、情報処理装置２０１は、例えばＭ２Ｍプラットフォームであって、Machine to Machineサービスに関する標準化を行なうｏｎｅＭ２Ｍにおいて定められているM2M Service Infrastructureであってもよい。M2M Service Infrastructureは、ｏｎｅＭ２ＭアーキテクチャにおけるＩＮ（Infrastructure Node）に相当する。さらに、M2M Service Infrastructureは、ｏｎｅＭ２Ｍが定める共通サービス機能（ＣＳＦ：Common Services Function）群を提供するＣＳＥ（Common Services Entity）を有する。また、情報処理装置２０１は、複数のＣＳＥを含む装置であってもよい。なお、ＩＮが有するＣＳＥは、ＩＮ（Infrastructure Node）−ＣＳＥとも称される。
【００７１】
ネットワーク２３０は、例えば通信事業者が提供する移動通信網であって、ｏｎｅＭ２Ｍにおいて定義されるＵｎｄｅｒｌｙｉｎｇ  Ｎｅｔｗｏｒｋであってもよい。
【００７２】
また、デバイス２４１〜２４３は、例えばセンサデバイスであって、ｏｎｅＭ２Ｍにおいて定義されるＭ２Ｍ  Ｄｅｖｉｃｅであってもよい。Ｍ２Ｍ  Ｄｅｖｉｃｅは、ｏｎｅＭ２ＭアーキテクチャにおけるＡＳＮ（Application Service Node）あるいはＡＤＮ（Application Dedicated Node）に相当し、このうちＡＳＮはＣＳＥを有する。なお、ＡＳＮ内のＣＳＥはＡＳＮ−ＣＳＥとも称される。
【００７３】
また、アプリケーションサーバ２２１〜２２３は、例えば特定の業務を処理するサーバであって、ｏｎｅＭ２Ｍにおいて定義されるＭ２Ｍ  Ａｐｐｌｉｃａｔｉｏｎ  Ｉｎｆｒａｓｔｒｕｃｔｕｒｅであってもよい。また、アプリケーションサーバ２２１〜２２３は、ｏｎｅＭ２ＭアーキテクチャにおけるＡＥ（Application Entity）を有してもよい。なお、ｏｎｅＭ２Ｍで定義されるＩｎｆｒａｓｔｒｕｃｔｕｒｅ  Ｄｏｍａｉｎにあり、ＩＮ−ＣＳＥに接続されるＡＥは、ＩＮ（Infrastructure Node）−ＡＥとも称される。
【００７４】
また、情報処理装置２０１は、例えばモバイルルータであってもよく、この場合ｏｎｅＭ２Ｍにおいて定義されるＭ２Ｍ  Ｇａｔｅｗａｙ（ゲートウェイ装置）であってもよい。Ｍ２Ｍ  Ｇａｔｅｗａｙは、ｏｎｅＭ２ＭアーキテクチャにおけるＭＮ（Middle Node）に相当し、ＣＳＥを有する。なおＭＮ内のＣＳＥはＭＮ−ＣＳＥとも称される。
【００７５】
［第３実施形態］
次に本発明の第３実施形態に係る情報処理システムについて、図１１乃至図１３を用いて説明する。図１１は、本実施形態に係る情報処理システム１１００の機能構成を説明するためのブロック図である。本実施形態に係る情報処理システムは、上記第２実施形態と比べると、情報処理装置１１０１とデバイス１１４１〜１１４３とが直接接続されている点で異なる。さらに、本実施形態に係る情報処理システムは、上記第２実施形態と比べると、無線通信制御部１１１８を介してデバイスと無線通信する情報要求部１１１３と受信部１１１４とを備えた点で異なる。さらに、本実施形態に係る情報処理システムは、信号強度検出部１１１７の検出結果に基づいて電池残量を認識する電池残量認識部１１１５を備えた点で異なる。その他の構成および動作は、第２実施形態と同様であるため、同じ構成および動作については同じ符号を付してその詳しい説明を省略する。
【００７６】
本実施形態においては、情報処理装置１１０１とデバイス１１４１〜１１４３とは、無線通信制御部１１１８を介して無線で直接接続されており、途中に信号の中継器や増幅装置が配置されていない。
【００７７】
信号強度検出部１１１７は、無線通信制御部１１１８および受信部１１１４を介してデバイス１１４１〜１１４３から受信した信号の強度を検出して電池残量認識部１１１５へ通知する。
【００７８】
また、電池残量認識部１１１５は、デバイス１１４１〜１１４３から受信した信号の強度とデバイス１１４１〜１１４３の電池残量との対応関係を表わす情報を記憶している。この情報と信号強度検出部１１１７から通知された信号強度に基づいて、電池残量認識部１１１５は電池の残量を認識する。デバイス１１４１〜１１４３から受信した信号の強度とデバイス１１４１〜１１４３の電池残量との対応関係の情報は、例えば図１２に示すグラフで表される。
【００７９】
図１３Ａは本実施形態におけるデバイス１１４１〜１１４３の機能構成を説明するためのブロック図である。本実施形態におけるデバイス１１４１〜１１４３は、電池１３３１、情報取得部１３３２、および送受信部１３３３を有する。送受信部１３３３と情報取得部１３３２は電池１３３１の電力によって駆動され、送受信部１３３３は情報処理装置１１０１から情報要求指示を受けたときに情報取得部１３３２によって取得した情報を情報処理装置１１０１に送信する。
【００８０】
《情報処理装置の動作説明》
本実施形態では、デバイス１１４１〜１１４３は自身の電池残量を情報処理装置１１０１へ送信しない。代わりに情報処理装置１１０１の電池残量認識部１１１５は、デバイス１１４１〜１１４３から取得情報を受信した際の信号強度に基づいて、デバイス１１４１〜１１４３の電池残量を認識する。
【００８１】
なお、図１３Ｂに示すように、情報処理装置１１０１とデバイス１１４１〜１１４３との間に中継器１３０１〜１３０３やゲートウェイ装置を配置する場合には、信号強度検出部１３１１〜１３３１をデバイス１１４１〜１１４３と直接接続される中継器１３０１〜１３０３やゲートウェイ装置上に配置する構成としてもよい。また、通信制御部１３１８を介して無線を用いて情報処理装置１１０１とデバイス１１４１〜１１４３とを直接接続してもよいし、有線通信を用いて直接接続してもよい。
【００８２】
本実施形態によっても第２実施形態と同様の効果を得ることができる。なお、本実施形態では、信号強度を用いる場合を例に説明したが、信号強度に代えて受信信号の符号誤り率や伝送レートを用いてもよい。信号強度が低下すると符号誤り率が上がり、符号誤り率が上がると伝送レートが低下するからである。
【００８３】
［第４実施形態］
次に本発明の第４実施形態に係る情報処理システムについて、図１４を用いて説明する。図１４は、本実施形態に係る情報処理システム１４００の機能構成を説明するためのブロック図である。本実施形態に係る情報処理システム１４００は、上記第２実施形態と比べると、記憶部１４１７に記憶されているデバイスに関する情報に基づいて一時記憶期間を設定する一時記憶期間設定部１４１６を有する点で異なる。その他の構成および動作は、第２実施形態と同様であるため、同じ構成および動作については同じ符号を付してその詳しい説明を省略する。
【００８４】
本実施形態では、記憶部１４１７は、図１５に示すようなデバイス２４１〜２４３に関してあらかじめ設定された運用年限と運用開始日時と情報取得日時の履歴との情報１５０１〜１５０３を記憶している。
【００８５】
また、一時記憶期間設定部１４１６は、記憶部１４１７に記憶されている情報１５０１〜１５０３を参照し、デバイス２４１〜２４３について、運用年限と運用開始日時と情報取得日時の履歴とに関する情報を取得する。さらに、一時記憶期間設定部１４１６は、運用開始からの経過日数と情報取得日時の履歴とデバイス２４１〜２４３の電池残量とを照らし合わせて、許容される情報取得回数を計算する。そして、その情報取得回数に基づいて、一時記憶データの一時記憶期間を算出して設定する。
【００８６】
すなわち、一時記憶期間設定部１４１６は、電池７０１の残量が情報を送信可能な最低限の電池残量まであと何パーセント（ｒ）残っているかを認識し、これを使用可能な電池残量とする。さらに、一時記憶期間設定部１４１６は、情報取得日時の履歴に基づいて、運用開始から何回（ｔ）の情報取得を行なったかを認識し、回数（ｔ）と現在の電池残量とに基づいて、電池が満充電時の何パーセント（ｕ）を１回の情報取得に要するかを算出する。そして、一時記憶期間設定部１４１６は、運用年限までの残日数（ｖ）を算出し、ｒ／ｕの値を運用年限までに情報を取得できる回数として算出して、ｖ／（ｕ／ｒ）の値を一時記憶データの一時記憶期間として設定する。
【００８７】
本実施形態によれば、情報処理装置１４０１は、デバイス２４１〜２４３から受信した取得情報を一時記憶する際の一時記憶期間について、デバイス２４１〜２４３の電池残量を考慮した最適値をあらかじめ設定することができる。したがって、デバイス２４１〜２４３の電力消費量と通信量とを削減することができる。これにより、デバイス２４１〜２４３の電池の寿命を延ばすことができるので、従来よりもデバイス２４１〜２４３の電池交換の手間を低減することができる。
【００８８】
［第５実施形態］
次に本発明の第５実施形態に係る情報処理システムについて、図１６および図１７を用いて説明する。図１６は、本実施形態に係る情報処理システム１６００の機能構成を説明するためのブロック図である。本実施形態に係る情報処理システム１６００は、上記第２実施形態と比べると、デバイス１６４１〜１６４３から一時記憶期間の情報を取得する情報処理装置１６０１を備えた点で異なる。その他の構成および動作は、第２実施形態と同様であるため、同じ構成および動作については同じ符号を付してその詳しい説明を省略する。
【００８９】
情報処理装置１６０１は、情報要求制御部２１１、一時記憶部２１２、情報要求部２１３、および受信部１６１４を有する。
【００９０】
受信部１６１４は、デバイス１６４１〜１６４３から一時記憶期間の情報が付けられた取得情報を受信して、これらを一時記憶部２１２に記憶する。
【００９１】
図１７は本実施形態に係るデバイス１６４１〜１６４３の機能構成を説明するためのブロック図である。デバイス１６４１〜１６４３は電池１７０１、情報取得部１７０２、電池残量検出部１７０３、送受信部１７０４、一時記憶期間設定部１７０５、および記憶部１７０６を有する。
【００９２】
電池残量検出部１７０３は、送受信部１７０４から電池残量検出の指示を受けた場合に、電池１７０１の残量を検出し、電池残量の情報を一時記憶期間設定部１７０５に出力する。
【００９３】
一時記憶期間設定部１７０５は、電池残量検出部１７０３から受け取った電池残量の情報と、記憶部１７０６に記憶されている電池残量と取得情報の一時記憶期間との関係を表わす情報とに基づいて、情報取得部１７０２が取得した取得情報の一時記憶期間を設定する。
【００９４】
記憶部１７０６は、電池残量と取得情報の一時記憶期間との関係を表わす情報を記憶しているストレージである。
【００９５】
本実施形態によれば、デバイス１６４１〜１６４３自身が、取得情報を一時記憶する際の一時記憶期間について、デバイス１６４１〜１６４３の電池残量を考慮した最適値をあらかじめ設定することができる。したがって、デバイス１６４１〜１６４３の電力消費量と通信量とを削減することができる。これにより、デバイス１６４１〜１６４３の電池の寿命を延ばすことができるので、従来よりもデバイス１６４１〜１６４３の電池交換の手間を低減することができる。
【００９６】
［第６実施形態］
次に本発明の第６実施形態に係る情報処理システムについて、図１８を用いて説明する。図１８は、本実施形態に係る情報処理システム１８００の機能構成を説明するためのブロック図である。本実施形態に係る情報処理システム１８００は、上記第２実施形態と比べると、一時記憶装置１８１２が情報処理装置１８０１の外部に設けられ、情報処理装置１８０１から、一時記憶期間を指定した取得データが一時記憶装置１８１２に送られる点で異なる。その他の構成および動作は、第２実施形態と同様であるため、同じ構成および動作については同じ符号を付してその詳しい説明を省略する。
【００９７】
上述した実施形態と同様に、一時記憶期間設定部２１６で設定した一時記憶期間を付加した取得情報を、送信部１８１９を介して一時記憶装置１８１２に送る。一時記憶装置１８１２は、受け取った取得情報を、その取得情報に付加されていた一時記憶期間だけ保持する。
【００９８】
このようにデバイスから取得した取得情報を外部の一時記憶装置１８１２に記憶する場合も、一時記憶期間を上述の第１〜第５実施形態のように制御することにより、デバイスの電池の寿命を延ばし、デバイスの電池交換の手間を低減することができる。
【００９９】
［第７実施形態］
次に本発明の第７実施形態に係る情報処理システムについて、図１９乃至図２２を用いて説明する。図１９は、本実施形態に係る情報処理システムで用いるテーブルを示す図であり、電池残量情報と一時記憶期間との関係を表している。
【０１００】
本実施形態に係る情報処理システムは、上記第２実施形態と比べると、デバイスから受け取る送信情報が複数種類（電池残量％以外に、電圧値、残り駆動時間、送信可能回数、残存放電容量（mAh）など）に跨る点で異なる。例えば、以下のようなデバイス群が混在する場合を想定する。
（１）電圧値しか送信できない
（２）電池残量％に変換して送信可能
（３）残存放電容量（mAh）しか送信できない
（４）残り駆動時間しか送信できない
（５）送信可能回数しか送信できない
この場合、図５のテーブルに加えて、図１９乃至図２２に示す各種テーブルを用いて、それらの送信情報をそれぞれ、一時記憶期間に変換すればよい。
【０１０１】
また、電池によって特性が異なるため、異なる電池を使うデバイスがあるときは、電池ごとにテーブルを保持する。
【０１０２】
その他の構成および動作は、第２実施形態と同様であるため、同じ構成および動作については同じ符号を付してその詳しい説明を省略する。
【０１０３】
本実施形態によれば、多種多様なデバイスが混在する場合にも、それぞれから取得した情報の一時記憶期間を適正に制御して、各デバイスの電池寿命を延ばし、デバイスの電池交換の手間を低減することができる。
【０１０４】
［他の実施形態］
以上、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【０１０５】
また、第５実施形態における記憶部１７０２が、デバイスの運用年限と運用開始日と情報取得日時の履歴とを情報として保持し、第４実施形態と同様にして、一時記憶期間設定部１７０１が一時記憶期間を算出して設定するようにしてもよい。
【０１０６】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【０１０７】
［実施形態の他の表現］
上記の実施形態の一部または全部は、以下の付記のようにも記載されうるが、以下には限られない。
（付記１）
デバイスが取得した取得情報と、当該デバイスの電池残量を示す残量情報とを含むデバイス情報を前記デバイスから受信する受信手段と、
前記受信手段が前記デバイス情報を受信した場合に、当該デバイス情報に含まれる残量情報に基づいて、一時記憶手段における前記取得情報の一時記憶期間を設定する期間設定手段と、
を備えた情報処理装置。
（付記２）
取得情報を送信信号に変換して送信するデバイスから当該送信信号を受信する受信手段と、
前記受信手段が受信した前記送信信号に基づいて、前記デバイスを駆動する電池の残量を算出する電池残量算出手段と、
前記電池の残量を表わす残量情報に基づいて、一時記憶手段における前記取得情報の一時記憶期間を設定する期間設定手段と、
を備えた情報処理装置。
（付記３）
前記期間設定手段は、前記残量情報と前記一時記憶期間との関係を表わす情報を保持し、該情報に基づいて、前記一時記憶期間を設定する、付記１または２に記載の情報処理装置。
（付記４）
前記デバイスは前記情報処理装置に直接接続されており、
前記情報処理装置の電池残量認識手段は、前記受信手段が受信した前記送信信号の強度に基づいて、前記電池の残量を認識する、
付記２に記載の情報処理装置。
（付記５）
前記期間設定手段は、前記デバイスの運用年限と運用開始日と情報取得日時の履歴とをデバイス情報として保持し、前記運用開始日からの経過日数と前記電池の残量とに基づいて、許容される情報取得回数を計算するとともに前記運用年限までの残日数を計算し、前記情報取得回数と前記残日数と用いて前記一時記憶期間を算出して設定する、付記１乃至４のいずれか１項に記載の情報処理装置。
（付記６）
前記一時記憶手段は、前記取得情報とともに該取得情報の前記一時記憶期間の情報を記憶する、付記１乃至５のいずれか１項に記載の情報処理装置。
（付記７）
前記一時記憶手段は、前記一時記憶期間が過ぎた前記取得情報を消去する、付記１乃至６のいずれか１項に記載の情報処理装置。
（付記８）
所定の情報を取得情報として取得する情報取得手段と、
前記取得情報を含む送信情報を送信信号に変換して送信する送信手段と、
前記情報取得手段および前記送信手段を駆動するための電池の残量を検出する検出手段と、
を備え、
前記送信手段が、
前記取得情報を含む前記送信情報を前記送信信号として前記デバイスから受信する受信手段と、
前記取得情報を一時的に記憶する一時記憶手段と、
前記受信手段が受信した前記送信情報あるいは前記送信信号の少なくともいずれか一方に基づいて、前記電池の残量を認識する電池残量認識手段と、
前記電池の残量に基づいて、前記一時記憶手段における前記取得情報の一時記憶期間を設定する期間設定手段と、
を備えた情報処理装置に対して前記送信信号を送信するデバイス。
（付記９）
デバイスが取得した取得情報と、当該デバイスの電池残量を示す残量情報とを含むデバイス情報を前記デバイスから受信する受信ステップと、
前記デバイス情報を受信した場合に、当該デバイス情報に含まれる残量情報に基づいて、一時記憶手段における前記取得情報の一時記憶期間を設定する期間設定ステップと、
を含む情報処理方法。
（付記１０）
取得情報を送信信号に変換して送信するデバイスから当該送信信号を受信するステップと、
前記送信信号に基づいて、前記デバイスを駆動する電池の残量を算出するステップと、
前記電池の残量を表わす残量情報に基づいて、一時記憶手段における前記取得情報の一時記憶期間を設定するステップと、
を含む情報処理方法。
（付記１１）
デバイスが取得した取得情報と、当該デバイスの電池残量を示す残量情報とを含むデバイス情報を前記デバイスから受信する受信ステップと、
前記デバイス情報を受信した場合に、当該デバイス情報に含まれる残量情報に基づいて、一時記憶手段における前記取得情報の一時記憶期間を設定する期間設定ステップと、
をコンピュータに実行させる情報処理プログラム。
（付記１２）
取得情報を送信信号に変換して送信するデバイスから当該送信信号を受信するステップと、
前記送信信号に基づいて、前記デバイスを駆動する電池の残量を算出するステップと、
前記電池の残量を表わす残量情報に基づいて、一時記憶手段における前記取得情報の一時記憶期間を設定するステップと、
をコンピュータに実行させる情報処理プログラム。
（付記１３）
電池によって駆動されるデバイスと情報処理装置とを含む情報処理システムであって、
前記デバイスは、
所定の情報を取得情報として取得する情報取得手段と、
前記取得情報を含む送信情報を送信信号に変換して前記情報処理装置に対して送信する送信手段と、
を備え、
前記情報処理装置は、
前記取得情報を含む前記送信情報を前記送信信号として前記デバイスから受信する受信手段と、
前記取得情報を一時的に記憶する一時記憶手段と、
前記受信手段が受信した前記送信情報あるいは前記送信信号の少なくともいずれか一方に基づいて、前記電池の残量を認識する電池残量認識手段と、
前記電池の残量に基づいて、前記一時記憶手段における前記取得情報の一時記憶期間を設定する期間設定手段と、
を備えた情報処理システム。
【０１０８】
この出願は、２０１５年７月８日に出願された日本出願特願２０１５−１３７３４９を基礎とする優先権を主張し、その開示の全てをここに取り込む。
【図１Ａ】
2017006836.tif 000003
【図１Ｂ】
2017006836.tif 000004
【図２】
2017006836.tif 000005
【図３】
2017006836.tif 000006
【図４】
2017006836.tif 000007
【図５】
2017006836.tif 000008
【図６】
2017006836.tif 000009
【図７】
2017006836.tif 000010
【図８】
2017006836.tif 000011
【図９】
2017006836.tif 000012
【図１０】
2017006836.tif 000013
【図１１】
2017006836.tif 000014
【図１２】
2017006836.tif 000015
【図１３Ａ】
2017006836.tif 000016
【図１３Ｂ】
2017006836.tif 000017
【図１４】
2017006836.tif 000018
【図１５】
2017006836.tif 000019
【図１６】
2017006836.tif 000020
【図１７】
2017006836.tif 000021
【図１８】
2017006836.tif 000022
【図１９】
2017006836.tif 000023
【図２０】
2017006836.tif 000024
【図２１】
2017006836.tif 000025
【図２２】
2017006836.tif 000026
【国際調査報告】
2017006836.tif 000027
2017006836.tif 000028